(57)【要約】【課題】ＶＨＦ放送もＵＨＦ放送も鮮明画像で受信できるようにする。【解決手段】回転軸駆動手段５で回転駆動される回転軸２に、ＵＨＦアンテナ３およびＶＨＦアンテナ４を同一方向を向けて取付ける。位置検出手段９で検出した本船の位置信号、および方位検出手段１０で検出した本船の方位信号を、演算手段１３に入力する。また、地上局位置記憶手段１４に、ＶＨＦ地上ＴＶ局の位置およびＵＨＦ地上ＴＶ局の位置を、予め記憶させておく。すると、演算手段１３は、前記両検出手段９，１０からの入力信号および地上局位置記憶手段１４の記憶内容に基づき、両アンテナ３，４をどの方向に向ければ、目的とする地上ＴＶ局の方に向くのかを演算する。そして、この演算結果に基づき回転軸駆動手段５を制御する。【選択図】図１
2006203310.tif 000002
【特許請求の範囲】
【請求項１】
ＶＨＦアンテナおよびＵＨＦアンテナが同一方向を向けて取付けられた回転軸と；この回転軸を回転駆動する回転軸駆動手段と；ＶＨＦ地上ＴＶ局およびＵＨＦ地上ＴＶ局の位置を記憶する地上局位置記憶手段と；人工衛星からの信号を受信して本船の位置を検出する位置検出手段と；本船の方位を検出する方位検出手段と；前記両検出手段からの入力信号および前記地上局位置記憶手段の記憶内容に基づき前記回転軸駆動手段を駆動させ、前記両アンテナをいずれかの地上ＴＶ局の方に向ける演算手段と；を具備することを特徴とする船舶用追尾アンテナ装置。
【請求項２】
地上局位置記憶手段の記憶内容は、人力手段により変更可能となっていることを特徴とする請求項１記載の船舶用自動追尾アンテナ装置。
【発明の詳細な説明】
【技術分野】
【０００１】
本発明は、船舶用自動追尾アンテナ装置に係り、特にＶＨＦ放送もＵＨＦ放送も鮮明画像で楽しむことができる船舶用自動追尾アンテナ装置に関する。
【背景技術】
【０００２】
従来から、船舶に搭載されているＴＶ受像機用のアンテナを常に地上ＴＶ局の方に向け、本船の方向が変化しても常に安定した画像が得られるようにした船舶用自動追尾アンテナ装置は一般に知られている。
【非特許文献１】「地上ＴＶ放送自動追尾アンテナ（ＫＴＢ−１２０）」用カタログ  川崎重工業株式会社  １９９７年５月発行
【発明の開示】
【発明が解決しようとする課題】
【０００３】
ところで、前記従来の船舶用自動追尾アンテナ装置においては、ＶＨＦアンテナとＵＨＦアンテナとを予め一定の角度で取付ておき、ＶＨＦアンテナをＶＨＦ地上ＴＶ局の方に向ければ、自動的にＵＨＦアンテナがＵＨＦ地上ＴＶ局の方に向くようにしているため、複数台設置されているＴＶ受像機のうちの、一方のＴＶ受像機でＶＨＦ放送を受信している状態で、他方のＴＶ受像機でＵＨＦ放送を受信することができると云う利点を有しているが、反面本船の航行位置により、ＶＨＦアンテナをＶＨＦ地上ＴＶ局の方に向けた際に、ＵＨＦアンテナが正確にＵＨＦ地上ＴＶ局の方に向かず、必ずしも鮮明な画像が得られないと云う問題がある。
【０００４】
また、小型船舶においては、本船内に複数台のＴＶ受像機が設置されていることは殆どなく、したがって、ＵＨＦ放送とＶＨＦ放送とを同時に受信できるようにする必要性は殆ど皆無である。
【０００５】
本発明は、かかる現況に鑑みなされたもので、ＵＨＦ放送もＶＨＦ放送も鮮明画像で楽しむことができる船舶用自動追尾アンテナ装置を提供することを目的とする。
【０００６】
本発明の他の目的は、船舶が航行する港湾が変更になっても、これに対応することができる船舶用自動追尾アンテナ装置を提供するにある。
【課題を解決するための手段】
【０００７】
前記目的を達成するため本発明は、ＶＨＦアンテナおよびＵＨＦアンテナが同一方向を向けて取付けられた回転軸と；この回転軸を回転駆動する回転軸駆動手段と；ＶＨＦ地上ＴＶ局およびＵＨＦ地上ＴＶ局の位置を記憶する地上局位置記憶手段と；人工衛星からの信号を受信して本船の位置を検出する位置検出手段と；本船の方位を検出する方位検出手段と；前記両検出手段からの入力信号および前記地上局位置記憶手段の記憶内容に基づき前記回転軸駆動手段を駆動させ、前記両アンテナをいずれかの地上ＴＶ局の方に向ける演算手段と；を設けるようにしたことを特徴とする。
【０００８】
本発明はまた、入力手段により、地上局位置記憶手段の記憶内容を変更できるようにしたことを特徴とする。
【発明の効果】
【０００９】
本発明は、ＶＨＦアンテナおよびＵＨＦアンテナが同一方向を向けて取付けられた回転軸と；この回転軸を回転駆動する回転軸駆動手段と；ＶＨＦ地上ＴＶ局およびＵＨＦ地上ＴＶ局の位置を記憶する地上局位置記憶手段と；人工衛星からの信号を受信して本船の位置を検出する位置検出手段と；本船の方位を検出する方位検出手段と；前記両検出手段からの入力信号および前記地上局位置記憶手段の記憶内容に基づき前記回転軸駆動手段を駆動させ、前記両アンテナをいずれかの地上ＴＶ局の方に向ける演算手段と；を設けるようにしているので、ＶＨＦ放送を受信したい場合にも、またＵＨＦ放送を受信したい場合にも、各アンテナを各地上ＴＶ局の方に正確に向けることができる。このため、いずれの放送も鮮明画像で受信することができる。
【００１０】
本発明はまた、入力手段により、地上局位置記憶手段の記憶内容を変更できるようにしているので、本船が航行する港湾が、例えば東京湾から大阪湾に変更になったような場合でも、これに対応することができる。
【発明を実施するための最良の形態】
【００１１】
以下、本発明を図面を参照して説明する。
図１は、実施の一形態に係る船舶用の自動追尾アンテナ装置を示すもので、この自動追尾アンテナ装置１は、ＶＨＦアンテナ３およびＵＨＦアンテナ４が同一方向を向けて取付けられている回転軸２を備えており、この回転軸２は、回転軸駆動手段５により回転駆動されるようになっている。
【００１２】
前記回転軸２にはまた、図１に示すように、前記両アンテナ３，４にで受信した受信信号を混合する混合器６が取付けられているとともに、前記回転軸２の本船（図示せず）への取付け部分には、スリップリング７が設けられており、前記混合器６で混合された混合信号は、前記スリップリング７を介してＴＶ受像機８に入力されるようになっている。
【００１３】
一方、図示しない本船内には、図１に示すように、ＧＰＳ等の人工衛星からの信号を受信して本船の位置を検出する位置検出手段９、ジャイロコンパスあるいは磁気方位センサ等で構成されて本船の方位を検出する方位検出手段１０、制御装置１１、および入力手段１２がそれぞれ設けられており、前記制御装置１１は、演算手段１３と地上局位置記憶手段１４とで構成されている。
【００１４】
前記地上局位置記憶手段１４は、図１に示すように、前記入力手段１２からの入力により、ＶＨＦ地上ＴＶ局およびＵＨＦ地上ＴＶ局の位置を記憶するようになっており、この記憶内容は、入力手段１２の操作により変更できるようになっている。
【００１５】
また、前記演算手段１３は、図１に示すように、前記両検出手段９，１０からの入力信号および前記地上局位置記憶手段１４の記憶内容に基づき前記回転軸駆動手段５を駆動させ、前記両アンテナ３，４をＶＨＦ地上ＴＶ局あるいはＵＨＦ地上ＴＶ局の方に向けるようになっている。すなわち、ＴＶ受像機８でＶＨＦ放送を受信する場合には、両アンテナ３，４をＶＨＦ地上ＴＶ局の方に向けるともに、ＴＶ受像機８でＵＨＦ放送を受信する場合には、両アンテナ３，４をＵＨＦ地上ＴＶ局の方に向けるようになっている。
【００１６】
次に、本実施の形態の作用について説明する。
本船の乗組員が、ＴＶ受像機８でＴＶ放送を楽しむ場合には、まず乗組員が入力手段１２を操作して、ＶＨＦ放送なのか、ＵＨＦ放送なのかを決定する。すると、演算手段１３は、位置検出手段９および方位検出手段１０からの入力信号に基づき、本船の位置および方位を演算するとともに、地上局位置記憶手段１４の記憶内容に基づき、両アンテナ３，４をどの方向に向けたらＶＨＦ地上ＴＶ局あるいはＵＨＦ地上ＴＶ局の方向に向くのかを演算する。そしてこの演算結果に基づく制御信号を、回転軸駆動手段５に向けて出力する。
【００１７】
回転軸駆動手段５は、この制御信号の入力により回転軸２を回転駆動させ、両アンテナ３，４がＶＨＦ地上ＴＶ局あるいはＵＨＦ地上ＴＶ局の方を向くようにする。
【００１８】
しかして、本船の位置および方位が変化しても、両アンテナ３，４は、常に受信しようとしているＶＨＦ地上ＴＶ局あるいはＵＨＦ地上ＴＶ局の方を向くように制御されることになるので、ＶＨＦ放送もＵＨＦ放送も鮮明画像で楽しむことができる。
【００１９】
なお、前記実施の一形態においては、方位信号を、ジャイロコンパスあるいは磁気方位センサ等で構成される方位検出手段１０から得るようにする場合について説明したが、本船が通常航行している場合には、ＧＰＳ人工衛星からの信号に基づき、位置信号のみならず、方位信号も得ることができるので、この方位信号を利用するようにしてもよい。
【産業上の利用可能性】
【００２０】
以上のように、本発明に係る船舶用自動追尾アンテナ装置は、ＶＨＦ放送もＵＨＦ放送も鮮明画像で楽しむことができる自動追尾アンテナ装置として有用であり、特にタグボート等の小型船舶用の自動追尾アンテナ装置として適している。
【図面の簡単な説明】
【００２１】
【図１】本発明の実施の一形態に係る船舶用自動追尾アンテナ装置を示す全体構成図である。
【符号の説明】
【００２２】
１  自動追尾アンテナ装置
２  回転軸
３  ＶＨＦアンテナ
４  ＵＨＦアンテナ
５  回転軸駆動手段
６  混合器
７  スリップリング
８  ＴＶ受像機
９  位置検出手段
１０  方位検出手段
１１  制御装置
１２  入力手段
１３  演算手段
１４  地上局位置記憶手段
【図１】
2006203310.tif 000003